(57)【要約】【課題】本発明は高層階避難用快速降りロックを開示した。【解決手段】中心ブロックを含み、前記中心ブロックの中には上下に対称したスライドレールが設けられ、前記スライドレールの中にはスライドブロックがスライドできるように連結され、前記スライドブロックの右側と前記スライドレールの右側内壁との間には圧縮バネが連結され、前記スライドブロックには前記中心ブロックの外端面とスライドできるように連結されたスリーブが設けられ、前記スリーブの中には左方に開口した回転チャンバが設けられ、前記回転チャンバには挟み箱がスライドできるように連結され、前記挟み箱と前記回転チャンバとの間にはトーションバネが連結されている。【選択図】図１
2020182782.tif 000002
【特許請求の範囲】
【請求項１】
正面視で、中心ブロックを含み、前記中心ブロックの中には上下に対称したスライドレールが設けられ、前記スライドレールの中にはスライドブロックがスライドできるように連結され、前記スライドブロックの右側と前記スライドレールの右側内壁との間には圧縮バネが連結され、前記スライドブロックには前記中心ブロックの外端面とスライドできるように連結されたスリーブが設けられ、前記スリーブの中には左方に開口した回転チャンバが設けられ、前記回転チャンバには挟み箱がスライドできるように連結され、前記挟み箱と前記回転チャンバとの間にはトーションバネが連結され、前記挟み箱の中には左方に開口した伝動チャンバが設けられ、前記伝動チャンバの中には挟み装置が設けられ、前記挟み装置のヘッド部分にはスライド部品が設けられ、前記スライド部品のうち対称中心から離れている側に位置した止め部品が前記挟み装置のヘッド部分に設けられ、前記中心ブロックの右側端面には回転軸が回転できるように連結され、前記回転軸の右端末端の中にはベルトが嵌設され、
前記ベルトを腰に巻き付け、前記挟み装置のヘッド部分を配管にカバーし、このとき、両手で前記挟み装置を引き動かして上下に交差させて置き、前記スライド部品が使用者を下へ移動連動させ、継手に当てたとき、下側の前記止め部品が作動し、そして上側の前記挟み装置を放し、前記中心ブロックによって下側の前記スリーブを半周に回転させ、改めて配管をきつく挟み、同じ方法で下側の前記挟み装置を放して回転させ、継手を乗り越え、地面に到着するまで継手に当てるたびに上記のステップを繰り返すことを特徴とする高層階避難用快速降りロック。
【請求項２】
前記挟み装置が前記伝動チャンバの中に回転できるように連結された固定軸を含み、前記固定軸には上下に対称した回転ロッドが回転できるように連結され、前記回転ロッドには前記伝動チャンバの左部分の外側に位置したフレームが設けられ、前記フレームの間には円形のスライドレールを形成することができ、前記フレームの中には同じ角度で配置されたスライド孔が三組設けられ、前記スライド孔と前記スライド部品とがスライドできるように連結され、前記スライド孔のうち対称中心から離れている側に位置した切り替えチャンバが前記フレームの中に設けられ、前記止め部品が前記切り替えチャンバの中に位置しており、前記伝動チャンバのうち対称中心から離れている側の内壁には前後に対称したスライド溝が設けられ、前記スライド溝の中には前記回転ロッドと固定的に連結されたスライドロッドがスライドできるように連結され、前記スライドロッドと前記スライド溝との間には抵抗バネが連結され、前記伝動チャンバの右端内壁には抜き穴が連通するように設けられ、前記スリーブの右端内壁には切り欠きが連通するように設けられ、前記回転ロッドの右端には前記抜き穴と前記切り欠きとを貫いたワイヤロープが固定的に連結され、前記ワイヤロープのもう一端には前記スリーブの右部分外側に位置した引きリングが固定的に連結され、
手動で前記引きリングを引き、前記ワイヤロープによって前記回転ロッドを回転させ、てこの原理によって前記フレームを配管に包むことを特徴とする請求項１に記載の高層階避難用快速降りロック。
【請求項３】
前記スライド部品は前記スライド孔とスライドできるように連結されたスライド柱を含み、前記スライド柱と前記スライド孔との間には復帰バネが連結され、前記スライド柱のうち前記フレームから離れている側には凹溝が設けられ、前記凹溝の中には駆動軸が回転できるように連結され、前記駆動軸には配管と当接するローラーが設けられ、
前記スライド柱が前記スライド孔の中にスライドして配管の直径の長さに適応し、前記ローラーによって設備に配管に沿って垂直にスライドさせることができることを特徴とする請求項２に記載の高層階避難用快速降りロック。
【請求項４】
前記止め部品は形が半分の弓形の昇降板を含み、前記昇降板は前記切り替えチャンバのうち対称中心から離れている側の内壁とスライドできるように連結され、前記スライドレールのうち円心スライドレールから近接した側の内壁には前記昇降板と当接した挟み爪がスライドできるように連結され、前記挟み爪と前記フレームの内側端面との間には引っ張りバネが連結され、
配管の継手に当てたら、前記昇降板と配管との当接によって前記挟み爪を円心スライドレール側に押し動かし、配管をきつく挟むことを特徴とする請求項２に記載の高層階避難用快速降りロック。
【発明の詳細な説明】
【技術分野】
【０００１】
本発明はロック分野を取り上げて、具体的には高層階避難用快速降りロックである。
【背景技術】
【０００２】
高層マンションがどんどん高く建てられ、マンション密度もどんどん高くなり、緊急事態が発生した場合において、高層での救助の難易度も増えていくが、避難通路だけでは避難能力が限られている。しかし、外側の壁には一般的に配管があり、使用者は本発明の設備で配管を利用して自分で自分の命を守ることができる。
【先行技術文献】
【特許文献】
【０００３】
【特許文献１】中国特許出願公開第１０７２８１６６０号明細書
【発明の概要】
【発明が解決しようとする課題】
【０００４】
本発明の目的は高層階避難用快速降りロックを提供し、それは上記の現在の技術中の問題を解決できる。
【課題を解決するための手段】
【０００５】
本発明の高層階避難用快速降りロックは、中心ブロックを含み、前記中心ブロックの中には上下に対称したスライドレールが設けられ、前記スライドレールの中にはスライドブロックがスライドできるように連結され、前記スライドブロックの右側と前記スライドレールの右側内壁との間には圧縮バネが連結され、前記スライドブロックには前記中心ブロックの外端面とスライドできるように連結されたスリーブが設けられ、前記スリーブの中には左方に開口した回転チャンバが設けられ、前記回転チャンバには挟み箱がスライドできるように連結され、前記挟み箱と前記回転チャンバとの間にはトーションバネが連結され、前記挟み箱の中には左方に開口した伝動チャンバが設けられ、前記伝動チャンバの中には挟み装置が設けられ、前記挟み装置のヘッド部分にはスライド部品が設けられ、前記スライド部品のうち対称中心から離れている側に位置した止め部品が前記挟み装置のヘッド部分に設けられ、前記中心ブロックの右側端面には回転軸が回転できるように連結され、前記回転軸の右端末端の中にはベルトが嵌設され、
前記ベルトを腰に巻き付け、前記挟み装置のヘッド部分を配管にカバーし、このとき、両手で前記挟み装置を引き動かして上下に交差させて置き、前記スライド部品が使用者を下へ移動連動させ、継手に当てたとき、下側の前記止め部品が作動し、そして上側の前記挟み装置を放し、前記中心ブロックによって下側の前記スリーブを半周に回転させ、改めて配管をきつく挟み、同じ方法で下側の前記挟み装置を放して回転させ、継手を乗り越え、地面に到着するまで継手に当てるたびに上記のステップを繰り返す。
【０００６】
優選の技術プランとして、前記挟み装置が前記伝動チャンバの中に回転できるように連結された固定軸を含み、前記固定軸には上下に対称した回転ロッドが回転できるように連結され、前記回転ロッドには前記伝動チャンバの左部分の外側に位置したフレームが設けられ、前記フレームの間には円形のスライドレールを形成することができ、前記フレームの中には同じ角度で配置されたスライド孔が三組設けられ、前記スライド孔と前記スライド部品とがスライドできるように連結され、前記スライド孔のうち対称中心から離れている側に位置した切り替えチャンバが前記フレームの中に設けられ、前記止め部品が前記切り替えチャンバの中に位置しており、前記伝動チャンバのうち対称中心から離れている側の内壁には前後に対称したスライド溝が設けられ、前記スライド溝の中には前記回転ロッドと固定的に連結されたスライドロッドがスライドできるように連結され、前記スライドロッドと前記スライド溝との間には抵抗バネが連結され、前記伝動チャンバの右端内壁には抜き穴が連通するように設けられ、前記スリーブの右端内壁には切り欠きが連通するように設けられ、前記回転ロッドの右端には前記抜き穴と前記切り欠きとを貫いたワイヤロープが固定的に連結され、前記ワイヤロープのもう一端には前記スリーブの右部分外側に位置した引きリングが固定的に連結され、
手動で前記引きリングを引き、前記ワイヤロープによって前記回転ロッドを回転させ、てこの原理によって前記フレームを配管に包む。
【０００７】
優選の技術プランとして、前記スライド部品は前記スライド孔とスライドできるように連結されたスライド柱を含み、前記スライド柱と前記スライド孔との間には復帰バネが連結され、前記スライド柱のうち前記フレームから離れている側には凹溝が設けられ、前記凹溝の中には駆動軸が回転できるように連結され、前記駆動軸には配管と当接するローラーが設けられ、
前記スライド柱が前記スライド孔の中にスライドして配管の直径の長さに適応し、前記ローラーによって設備に配管に沿って垂直にスライドさせることができる。
【０００８】
優選の技術プランとして、前記止め部品は形が半分の弓形の昇降板を含み、前記昇降板は前記切り替えチャンバのうち対称中心から離れている側の内壁とスライドできるように連結され、前記スライドレールのうち円心スライドレールから近接した側の内壁には前記昇降板と当接した挟み爪がスライドできるように連結され、前記挟み爪と前記フレームの内側端面との間には引っ張りバネが連結され、
配管の継手に当てたら、前記昇降板と配管との当接によって前記挟み爪を円心スライドレール側に押し動かし、配管をきつく挟む。
【発明の効果】
【０００９】
本発明は使用者が自分で自分の命を守る方式によって避難時間を稼げ、外部の壁にある配管を利用し垂直の移動をし、また二つのスライドスリーブに近い構造のスライドによって移動の安定性を保証し、継手に当てたら装置の構造によってロックでき、そして手動で切り替えて継手を乗り越え、降りる速度を保証すると同時に、安全性を高める。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の高層階避難用快速降りロックの全体構成略図
【図２】図２は図１のＡ―Ａの構成略図
【図３】図３は図１のＢ―Ｂの構成略図
【図４】図４は図１のＣ―Ｃの構成略図
【図５】図５は図１のＤ―Ｄの構成略図
【図６】図６は図５のＥ―Ｅの構成略図
【図７】図７は図１のＦ―Ｆの構成略図
【発明を実施するための形態】
【００１２】
本発明の高層階避難用快速降りロックは、中心ブロック３０を含み、前記中心ブロック３０の中には上下に対称したスライドレール２８が設けられ、前記スライドレール２８の中にはスライドブロック２９がスライドできるように連結され、前記スライドブロック２９の右側と前記スライドレール２８の右側内壁との間には圧縮バネ３１が連結され、前記スライドブロック２９には前記中心ブロック３０の外端面とスライドできるように連結されたスリーブ１６が設けられ、前記スリーブ１６の中には左方に開口した回転チャンバ１７が設けられ、前記回転チャンバ１７には挟み箱１８がスライドできるように連結され、前記挟み箱１８と前記回転チャンバ１７との間にはトーションバネ１３が連結され、前記挟み箱１８の中には左方に開口した伝動チャンバ２１が設けられ、前記伝動チャンバ２１の中には挟み装置９０１が設けられ、前記挟み装置９０１のヘッド部分にはスライド部品９０２が設けられ、前記スライド部品９０２のうち対称中心から離れている側に位置した止め部品９０３が前記挟み装置９０１のヘッド部分に設けられ、前記中心ブロック３０の右側端面には回転軸１１が回転できるように連結され、前記回転軸１１の右端末端の中にはベルト１２が嵌設され、
前記ベルト１２を腰に巻き付け、前記挟み装置９０１のヘッド部分を配管にカバーし、このとき、両手で前記挟み装置９０１を引き動かして上下に交差させて置き、前記スライド部品９０２が使用者を下へ移動連動させ、継手に当てたとき、下側の前記止め部品９０３が作動し、そして上側の前記挟み装置９０１を放し、前記中心ブロック３０によって下側の前記スリーブ１６を半周に回転させ、改めて配管をきつく挟み、同じ方法で下側の前記挟み装置９０１を放して回転させ、継手を乗り越え、地面に到着するまで継手に当てるたびに上記のステップを繰り返す。
【００１３】
有益に、前記挟み装置９０１が前記伝動チャンバ２１の中に回転できるように連結された固定軸２３を含み、前記固定軸２３には上下に対称した回転ロッド２２が回転できるように連結され、前記回転ロッド２２には前記伝動チャンバ２１の左部分の外側に位置したフレーム２４が設けられ、前記フレーム２４の間には円形のスライドレールを形成することができ、前記フレーム２４の中には同じ角度で配置されたスライド孔２５が三組設けられ、前記スライド孔２５と前記スライド部品９０２とがスライドできるように連結され、前記スライド孔２５のうち対称中心から離れている側に位置した切り替えチャンバ３８が前記フレーム２４の中に設けられ、前記止め部品９０３が前記切り替えチャンバ３８の中に位置しており、前記伝動チャンバ２１のうち対称中心から離れている側の内壁には前後に対称したスライド溝１９が設けられ、前記スライド溝１９の中には前記回転ロッド２２と固定的に連結されたスライドロッド２０がスライドできるように連結され、前記スライドロッド２０と前記スライド溝１９との間には抵抗バネ３４が連結され、前記伝動チャンバ２１の右端内壁には抜き穴３２が連通するように設けられ、前記スリーブ１６の右端内壁には切り欠き３３が連通するように設けられ、前記回転ロッド２２の右端には前記抜き穴３２と前記切り欠き３３とを貫いたワイヤロープ１４が固定的に連結され、前記ワイヤロープ１４のもう一端には前記スリーブ１６の右部分外側に位置した引きリング１５が固定的に連結され、
手動で前記引きリング１５を引き、前記ワイヤロープ１４によって前記回転ロッド２２を回転させ、てこの原理によって前記フレーム２４を配管に包む。
【００１４】
有益に、前記スライド部品９０２は前記スライド孔２５とスライドできるように連結されたスライド柱２６を含み、前記スライド柱２６と前記スライド孔２５との間には復帰バネ３５が連結され、前記スライド柱２６のうち前記フレーム２４から離れている側には凹溝３７が設けられ、前記凹溝３７の中には駆動軸３６が回転できるように連結され、前記駆動軸３６には配管と当接するローラー２７が設けられ、
前記スライド柱２６が前記スライド孔２５の中にスライドして配管の直径の長さに適応し、前記ローラー２７によって設備に配管に沿って垂直にスライドさせることができる。
【００１５】
有益に、前記止め部品９０３は形が半分の弓形の昇降板４０を含み、前記昇降板４０は前記切り替えチャンバ３８のうち対称中心から離れている側の内壁とスライドできるように連結され、前記スライドレール２８のうち円心スライドレールから近接した側の内壁には前記昇降板４０と当接した挟み爪３９がスライドできるように連結され、前記挟み爪３９と前記フレーム２４の内側端面との間には引っ張りバネ４１が連結され、
配管の継手に当てたら、前記昇降板４０と配管との当接によって前記挟み爪３９を円心スライドレール側に押し動かし、配管をきつく挟む。
【００１６】
作動するとき、まずベルト１２を腰に巻きつけ、このときフレーム２４を配管の外側にカバーし、両手で引きリング１５を引き動かし、挟み装置９０１を上下に交差させて置き、ワイヤロープ１４によって回転ロッド２２を引き動かし回転させて互いに近づけ、またスライドロッド２０とスライド溝１９の内壁との当接によってロックし、このときフレーム２４が配管の外側にカバーされ、且つ二つのフレーム２４の間が環状の配置が形成され、配管の直径によりスライド柱２６をスライド孔２５の中にスライドさせ、また凹溝３７の回転により使用者を下へ移動させ、継手に当てたとき、下側の昇降板４０と外部とが当接して昇降板４０を上へ押し動かし、また挟み爪３９を円心スライドレール側に押し動かし、配管をきつく挟み、このとき上側の引きリング１５を放し、上側の引きリング１５が抵抗バネ３４の弾性により復帰し、スライドロッド２０を対称中心から離れている側へスライドさせ、また回転ロッド２２によってフレーム２４に配管へのカバーを解除させ、このとき上側のスリーブ１６を右へ引き動かし、またスリーブ１６が中心ブロック３０によって半周に回転し、継手を越え、この時、下側の挟み箱１８は下側のスリーブ１６に対して回転し、トーションバネ１３に運動エネルギーを貯めさせ、そしてスリーブ１６を放し、スリーブ１６が圧縮バネ３１の弾性により再び左へ移動し、フレーム２４を改めて次の部分の配管にカバーし、また手動で次の部分の配管にある止め部品９０２を押し動かし、このときもう一度下側の引きリング１５を放し、上記のステップを繰り返して次の部分の配管に置き換え、安全に地面に着くまで継手に当てるたび切り替えを行う。
【００１７】
本発明の有益効果は：本発明は使用者が自分で自分の命を守る方式によって避難時間を稼げ、外部の壁にある配管を利用し垂直の移動をし、また二つのスライドスリーブに近い構造のスライドによって移動の安定性を保証し、継手に当てたら装置の構造によってロックでき、そして手動で切り替えて継手を乗り越え、降りる速度を保証すると同時に、安全性を高める。
【００１８】
本分野の技術者は本発明の総体精神や発想から離脱しない場合で、以上の実施例に各種な変形ができる。
【図１】
2020182782.tif 000003
【図２】
2020182782.tif 000004
【図３】
2020182782.tif 000005
【図４】
2020182782.tif 000006
【図５】
2020182782.tif 000007
【図６】
2020182782.tif 000008
【図７】
2020182782.tif 000009
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
正面視で、中心ブロックを含み、前記中心ブロックの中には上下に対称したスライドレールが設けられ、前記スライドレールの中にはスライドブロックがスライドできるように連結され、前記スライドブロックの右側と前記スライドレールの右側内壁との間には圧縮バネが連結され、前記スライドブロックには前記中心ブロックの外端面とスライドできるように連結されたスリーブが設けられ、前記スリーブの中には左方に開口した回転チャンバが設けられ、前記回転チャンバには挟み箱がスライドできるように連結され、前記挟み箱と前記回転チャンバとの間にはトーションバネが連結され、前記挟み箱の中には左方に開口した伝動チャンバが設けられ、前記伝動チャンバの中には挟み装置が設けられ、前記挟み装置のヘッド部分にはスライド部品が設けられ、止め部品が前記挟み装置のヘッド部分に設けられ、前記中心ブロックの右側端面には回転軸が回転できるように連結され、前記回転軸の右端末端の中にはベルトが嵌設され、前記ベルトを腰に巻き付け、前記挟み装置のヘッド部分を配管にカバーし、このとき、両手で前記挟み装置を引き動かして上下に交差させて置き、前記スライド部品が使用者を下へ移動連動させ、継手に当てたとき、下側の前記止め部品が作動し、そして上側の前記挟み装置を放し、前記中心ブロックによって上側の前記スリーブは下側の前記スリーブをめぐって半周回転し、改めて配管をきつく挟み、同じ方法で下側の前記挟み装置を放して回転させ、継手を乗り越え、地面に到着するまで継手に当てるたびに上記のステップを繰り返すことを特徴とする高層階避難用快速降りロック。
【請求項２】
前記挟み装置が前記伝動チャンバの中に回転できるように連結された固定軸を含み、前記固定軸には上下に対称した回転ロッドが回転できるように連結され、前記回転ロッドには前記伝動チャンバの左部分の外側に位置したフレームが設けられ、前記フレームの間には円形のスライドレールを形成することができ、前記フレームの中には同じ角度で配置されたスライド孔が三組設けられ、前記スライド孔と前記スライド部品とがスライドできるように連結され、前記スライド孔において前記固定軸から離れた側に位置した切り替えチャンバが前記フレームの中に設けられ、前記伝動チャンバにおいて前記中心ブロックから離れた側の内壁には前後に対称したスライド溝が設けられ、前記スライド溝の中には前記回転ロッドと固定的に連結されたスライドロッドがスライドできるように連結され、前記スライドロッドと前記スライド溝との間には抵抗バネが連結され、前記伝動チャンバの右端内壁には抜き穴が連通するように設けられ、前記スリーブの右端内壁には切り欠きが連通するように設けられ、前記回転ロッドの右端には前記抜き穴と前記切り欠きとを貫いたワイヤロープが固定的に連結され、前記ワイヤロープのもう一端には前記スリーブの右部分外側に位置した引きリングが固定的に連結され、手動で前記引きリングを引き、前記ワイヤロープによって前記回転ロッドを回転させ、てこの原理によって前記フレームを配管に包むことを特徴とする請求項１に記載の高層階避難用快速降りロック。
【請求項３】
前記スライド部品は前記スライド孔とスライドできるように連結されたスライド柱を含み、前記スライド柱と前記スライド孔との間には復帰バネが連結され、前記スライド柱のうち前記フレームから離れている側には凹溝が設けられ、前記凹溝の中には駆動軸が回転できるように連結され、前記駆動軸には配管と当接するローラーが設けられ、前記スライド柱が前記スライド孔の中にスライドして配管の直径の長さに適応することを特徴とする請求項２に記載の高層階避難用快速降りロック。
【請求項４】
前記止め部品は弓形の昇降板を含み、前記昇降板は前記切り替えチャンバにおいて前記中心ブロックから離れた側の内壁とスライドできるように連結され、前記スライドレールにおいて前記フレームの内環に近接した側の内壁には前記昇降板と当接した挟み爪がスライドできるように連結され、前記挟み爪と前記フレームの内側端面との間には引っ張りバネが連結され、配管の継手に当てたら、前記昇降板と配管との当接によって前記挟み爪を円形スライドレール側に押し動かし、配管をきつく挟むことを特徴とする請求項２に記載の高層階避難用快速降りロック。
【手続補正２】
【補正対象書類名】明細書
【補正対象項目名】全文
【補正方法】変更
【補正の内容】
【発明の詳細な説明】
【技術分野】
【０００１】
本発明はロック分野を取り上げて、具体的には高層階避難用快速降りロックである。
【背景技術】
【０００２】
高層マンションがどんどん高く建てられ、マンション密度もどんどん高くなり、緊急事態が発生した場合において、高層での救助の難易度も増えていくが、避難通路だけでは避難能力が限られている。しかし、外側の壁には一般的に配管があり、使用者は本発明の設備で配管を利用して自分で自分の命を守ることができる。
【先行技術文献】
【特許文献】
【０００３】
【特許文献１】中国特許出願公開第１０７２８１６６０号明細書
【発明の概要】
【発明が解決しようとする課題】
【０００４】
本発明の目的は高層階避難用快速降りロックを提供し、それは上記の現在の技術中の問題を解決できる。
【課題を解決するための手段】
【０００５】
本発明の高層階避難用快速降りロックは、中心ブロックを含み、前記中心ブロックの中には上下に対称したスライドレールが設けられ、前記スライドレールの中にはスライドブロックがスライドできるように連結され、前記スライドブロックの右側と前記スライドレールの右側内壁との間には圧縮バネが連結され、前記スライドブロックには前記中心ブロックの外端面とスライドできるように連結されたスリーブが設けられ、前記スリーブの中には左方に開口した回転チャンバが設けられ、前記回転チャンバには挟み箱がスライドできるように連結され、前記挟み箱と前記回転チャンバとの間にはトーションバネが連結され、前記挟み箱の中には左方に開口した伝動チャンバが設けられ、前記伝動チャンバの中には挟み装置が設けられ、前記挟み装置のヘッド部分にはスライド部品が設けられ、止め部品が前記挟み装置のヘッド部分に設けられ、前記中心ブロックの右側端面には回転軸が回転できるように連結され、前記回転軸の右端末端の中にはベルトが嵌設され、前記ベルトを腰に巻き付け、前記挟み装置のヘッド部分を配管にカバーし、このとき、両手で前記挟み装置を引き動かして上下に交差させて置き、前記スライド部品が使用者を下へ移動連動させ、継手に当てたとき、下側の前記止め部品が作動し、そして上側の前記挟み装置を放し、前記中心ブロックによって上側の前記スリーブは下側の前記スリーブをめぐって半周回転し、改めて配管をきつく挟み、同じ方法で下側の前記挟み装置を放して回転させ、継手を乗り越え、地面に到着するまで継手に当てるたびに上記のステップを繰り返す。
【０００６】
優選の技術プランとして、前記挟み装置が前記伝動チャンバの中に回転できるように連結された固定軸を含み、前記固定軸には上下に対称した回転ロッドが回転できるように連結され、前記回転ロッドには前記伝動チャンバの左部分の外側に位置したフレームが設けられ、前記フレームの間には円形のスライドレールを形成することができ、前記フレームの中には同じ角度で配置されたスライド孔が三組設けられ、前記スライド孔と前記スライド部品とがスライドできるように連結され、前記スライド孔において前記固定軸から離れた側に位置した切り替えチャンバが前記フレームの中に設けられ、前記伝動チャンバにおいて前記中心ブロックから離れた側の内壁には前後に対称したスライド溝が設けられ、前記スライド溝の中には前記回転ロッドと固定的に連結されたスライドロッドがスライドできるように連結され、前記スライドロッドと前記スライド溝との間には抵抗バネが連結され、前記伝動チャンバの右端内壁には抜き穴が連通するように設けられ、前記スリーブの右端内壁には切り欠きが連通するように設けられ、前記回転ロッドの右端には前記抜き穴と前記切り欠きとを貫いたワイヤロープが固定的に連結され、前記ワイヤロープのもう一端には前記スリーブの右部分外側に位置した引きリングが固定的に連結され、手動で前記引きリングを引き、前記ワイヤロープによって前記回転ロッドを回転させ、てこの原理によって前記フレームを配管に包む。
【０００７】
優選の技術プランとして、前記スライド部品は前記スライド孔とスライドできるように連結されたスライド柱を含み、前記スライド柱と前記スライド孔との間には復帰バネが連結され、前記スライド柱のうち前記フレームから離れている側には凹溝が設けられ、前記凹溝の中には駆動軸が回転できるように連結され、前記駆動軸には配管と当接するローラーが設けられ、前記スライド柱が前記スライド孔の中にスライドして配管の直径の長さに適応する。
【０００８】
優選の技術プランとして、前記止め部品は弓形の昇降板を含み、前記昇降板は前記切り替えチャンバにおいて前記中心ブロックから離れた側の内壁とスライドできるように連結され、前記スライドレールにおいて前記フレームの内環に近接した側の内壁には前記昇降板と当接した挟み爪がスライドできるように連結され、前記挟み爪と前記フレームの内側端面との間には引っ張りバネが連結され、配管の継手に当てたら、前記昇降板と配管との当接によって前記挟み爪を円形スライドレール側に押し動かし、配管をきつく挟む。
【発明の効果】
【０００９】
本発明は使用者が自分で自分の命を守る方式によって避難時間を稼げ、外部の壁にある配管を利用し垂直の移動をし、また二つのスライドスリーブに近い構造のスライドによって移動の安定性を保証し、継手に当てたら装置の構造によってロックでき、そして手動で切り替えて継手を乗り越え、降りる速度を保証すると同時に、安全性を高める。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の高層階避難用快速降りロックの全体構成略図
【図２】図２は図１のＡ―Ａの構成略図
【図３】図３は図１のＢ―Ｂの構成略図
【図４】図４は図１のＣ―Ｃの構成略図
【図５】図５は図１のＤ―Ｄの構成略図
【図６】図６は図５のＥ―Ｅの構成略図
【図７】図７は図１のＦ―Ｆの構成略図
【発明を実施するための形態】
【００１２】
本発明の高層階避難用快速降りロックは、中心ブロック３０を含み、前記中心ブロック３０の中には上下に対称したスライドレール２８が設けられ、前記スライドレール２８の中にはスライドブロック２９がスライドできるように連結され、前記スライドブロック２９の右側と前記スライドレール２８の右側内壁との間には圧縮バネ３１が連結され、前記スライドブロック２９には前記中心ブロック３０の外端面とスライドできるように連結されたスリーブ１６が設けられ、前記スリーブ１６の中には左方に開口した回転チャンバ１７が設けられ、前記回転チャンバ１７には挟み箱１８がスライドできるように連結され、前記挟み箱１８と前記回転チャンバ１７との間にはトーションバネ１３が連結され、前記挟み箱１８の中には左方に開口した伝動チャンバ２１が設けられ、前記伝動チャンバ２１の中には挟み装置９０１が設けられ、前記挟み装置９０１のヘッド部分にはスライド部品９０２が設けられ、止め部品９０３が前記挟み装置９０１のヘッド部分に設けられ、前記中心ブロック３０の右側端面には回転軸１１が回転できるように連結され、前記回転軸１１の右端末端の中にはベルト１２が嵌設され、前記ベルト１２を腰に巻き付け、前記挟み装置９０１のヘッド部分を配管にカバーし、このとき、両手で前記挟み装置９０１を引き動かして上下に交差させて置き、前記スライド部品９０２が使用者を下へ移動連動させ、継手に当てたとき、下側の前記止め部品９０３が作動し、そして上側の前記挟み装置９０１を放し、前記中心ブロック３０によって上側の前記スリーブ１６は下側の前記スリーブ１６をめぐって半周回転し、改めて配管をきつく挟み、同じ方法で下側の前記挟み装置９０１を放して回転させ、継手を乗り越え、地面に到着するまで継手に当てるたびに上記のステップを繰り返す。
【００１３】
有益に、前記挟み装置９０１が前記伝動チャンバ２１の中に回転できるように連結された固定軸２３を含み、前記固定軸２３には上下に対称した回転ロッド２２が回転できるように連結され、前記回転ロッド２２には前記伝動チャンバ２１の左部分の外側に位置したフレーム２４が設けられ、前記フレーム２４の間には円形のスライドレールを形成することができ、前記フレーム２４の中には同じ角度で配置されたスライド孔２５が三組設けられ、前記スライド孔２５と前記スライド部品９０２とがスライドできるように連結され、前記スライド孔２５において前記固定軸２３から離れた側に位置した切り替えチャンバ３８が前記フレーム２４の中に設けられ、前記伝動チャンバ２１において前記中心ブロック３０から離れた側の内壁には前後に対称したスライド溝１９が設けられ、前記スライド溝１９の中には前記回転ロッド２２と固定的に連結されたスライドロッド２０がスライドできるように連結され、前記スライドロッド２０と前記スライド溝１９との間には抵抗バネ３４が連結され、前記伝動チャンバ２１の右端内壁には抜き穴３２が連通するように設けられ、前記スリーブ１６の右端内壁には切り欠き３３が連通するように設けられ、前記回転ロッド２２の右端には前記抜き穴３２と前記切り欠き３３とを貫いたワイヤロープ１４が固定的に連結され、前記ワイヤロープ１４のもう一端には前記スリーブ１６の右部分外側に位置した引きリング１５が固定的に連結され、手動で前記引きリング１５を引き、前記ワイヤロープ１４によって前記回転ロッド２２を回転させ、てこの原理によって前記フレーム２４を配管に包む。
【００１４】
有益に、前記スライド部品９０２は前記スライド孔２５とスライドできるように連結されたスライド柱２６を含み、前記スライド柱２６と前記スライド孔２５との間には復帰バネ３５が連結され、前記スライド柱２６のうち前記フレーム２４から離れている側には凹溝３７が設けられ、前記凹溝３７の中には駆動軸３６が回転できるように連結され、前記駆動軸３６には配管と当接するローラー２７が設けられ、前記スライド柱２６が前記スライド孔２５の中にスライドして配管の直径の長さに適応する。
【００１５】
有益に、前記止め部品９０３は弓形の昇降板４０を含み、前記昇降板４０は前記切り替えチャンバ３８において前記中心ブロック３０から離れた側の内壁とスライドできるように連結され、前記スライドレール２８において前記フレーム２４の内環に近接した側の内壁には前記昇降板４０と当接した挟み爪３９がスライドできるように連結され、前記挟み爪３９と前記フレーム２４の内側端面との間には引っ張りバネ４１が連結され、配管の継手に当てたら、前記昇降板４０と配管との当接によって前記挟み爪３９を円形スライドレール側に押し動かし、配管をきつく挟む。
【００１６】
作動するとき、まずベルト１２を腰に巻きつけ、このときフレーム２４を配管の外側にカバーし、両手で引きリング１５を引き動かし、挟み装置９０１を上下に交差させて置き、ワイヤロープ１４によって回転ロッド２２を引き動かし回転させて互いに近づけ、またスライドロッド２０とスライド溝１９の内壁との当接によってロックし、このときフレーム２４が配管の外側にカバーされ、且つ二つのフレーム２４の間が環状の配置が形成され、配管の直径によりスライド柱２６をスライド孔２５の中にスライドさせ、また凹溝３７の回転により使用者を下へ移動させ、継手に当てたとき、下側の昇降板４０と外部とが当接して昇降板４０を上へ押し動かし、また挟み爪３９を円形スライドレール側に押し動かし、配管をきつく挟み、このとき上側の引きリング１５を放し、上側の引きリング１５が抵抗バネ３４の弾性により復帰し、スライドロッド２０を対称中心から離れている側へスライドさせ、また回転ロッド２２によってフレーム２４に配管へのカバーを解除させ、このとき上側のスリーブ１６を右へ引き動かし、またスリーブ１６が中心ブロック３０によって半周に回転し、継手を越え、この時、下側の挟み箱１８は下側のスリーブ１６に対して回転し、トーションバネ１３に運動エネルギーを貯めさせ、そしてスリーブ１６を放し、スリーブ１６が圧縮バネ３１の弾性により再び左へ移動し、フレーム２４を改めて次の部分の配管にカバーし、また手動で次の部分の配管にある止め部品９０２を押し動かし、このときもう一度下側の引きリング１５を放し、上記のステップを繰り返して次の部分の配管に置き換え、安全に地面に着くまで継手に当てるたび切り替えを行う。
【００１７】
本発明の有益効果は：本発明は使用者が自分で自分の命を守る方式によって避難時間を稼げ、外部の壁にある配管を利用し垂直の移動をし、また二つのスライドスリーブに近い構造のスライドによって移動の安定性を保証し、継手に当てたら装置の構造によってロックでき、そして手動で切り替えて継手を乗り越え、降りる速度を保証すると同時に、安全性を高める。
【００１８】
本分野の技術者は本発明の総体精神や発想から離脱しない場合で、以上の実施例に各種な変形ができる。